(57)【要約】【課題】手間をかけることなく、かつ、ごみを生じさせずに使用する。【解決手段】前面片１１と後面片１２とによって袋形状となる封筒本体１０と、前面片１１に折り部１３ｂを介して連接したフラップ部２０とを有し、前面片１１に往信用宛先情報１５が表示されてなる往復封筒１において、フラップ部２０は、前面片１１に連接し、折り部１３ｂにて折り畳まれた場合に後面片１２に対向する面に貼着構造２８ａを具備する返信用フラップ部２１と、返信用フラップ部２１に切り離し可能に連接し、貼着構造２８ａと同一平面上に粘着剤２９ａが塗布された往信用フラップ部２２と、一方の面に貼着構造２８ｂを具備し、他方の面に返信用宛先情報２５が表示され、貼着構造２８ａ，２８ｂによって返信用フラップ部２１に剥離可能に貼着された宛名ラベル部２３とを有する。【選択図】図１
2010168055.tif 000002
【特許請求の範囲】
【請求項１】
第１片と第２片とによって開口部を具備する袋形状となる封筒本体と、前記第１片の前記開口部側の辺部に折り部を介して連接した封用蓋片とを有し、前記封筒本体または前記封用蓋片に第１の宛先情報表示部が設けられてなる封筒において、
前記封用蓋片は、
前記第１片に連接し、前記折り部にて折り畳まれた場合に前記第２片に対向する面に第１の貼着構造を具備する第１のシート部と、
前記第１のシート部に切り離し可能に連接し、前記第１の貼着構造と同一平面上に第２の貼着構造を具備する第２のシート部と、
一方の面に第３の貼着構造を具備し、他方の面に第２の宛先情報表示部が設けられ、前記第１の貼着構造と前記第３の貼着構造とによって前記第１のシート部に剥離可能に貼着された宛名ラベル部とを有し、
前記第１の宛先情報表示部が、前記第１のシート部から剥離された前記宛名ラベル部が前記第３の貼着構造によって貼着される宛名ラベル貼着予定部となっていることを特徴とする封筒。
【請求項２】
請求項１に記載の封筒において、
前記第１の貼着構造と前記第３の貼着構造とは、前記宛名ラベル部が前記第１のシート部に貼着された状態において粘着剤と剥離剤とが互い違いとなるように交互に配列されている封筒。
【発明の詳細な説明】
【技術分野】
【０００１】
本発明は、封用蓋片を有する封筒に関し、特に、複数回使用することができる封筒に関する。
【背景技術】
【０００２】
従来より、印刷物等の書類や手紙等を送付する場合に、この書類や手紙等を封入する封筒が用いられている。このような封筒は、２枚のシートによって袋形状の封筒本体が構成されるとともに、２枚のシートのうち一方のシートに連接した封用蓋片を有し、袋形状の封筒本体に、上述したような書類や手紙等の内容物が封入された後、封用蓋片が折り畳まれて封緘されることになる。
【０００３】
近年、このように書類や手紙等を封入、封緘する封筒において、往信用のみならず返信用にも使用するといったように複数回使用することができる封筒が考えられている。例えば、封用蓋片にジッパー部、並びに粘着剤が塗布されてなる２つの封緘部を設けておき、往信時には、２つの封緘部のうち一方の封緘部に剥離紙を貼着しておいて他方の封緘部を用いて封緘し、返信時には、往信時に用いた封緘部をジッパー部によって封用蓋片から切り離するとともに、封緘部から剥離紙を剥離し、この封緘部によって封緘する封筒が特許文献１に開示されている。
【０００４】
このように、２つの封緘部を有しながらも往信時に２つの封緘部の一方に剥離紙を貼着しておくことにより、返信時において、利用者が自分で封筒に糊を塗布したり、再湿糊に水分を付着させたりすることなく、封筒を封緘することができる。
【先行技術文献】
【特許文献】
【０００５】
【特許文献１】意匠登録第１３４４１２０号公報
【発明の概要】
【発明が解決しようとする課題】
【０００６】
しかしながら、上述したような封筒においては、返信時において、剥離紙が貼着されていた封緘部を使用するためにその封緘部から剥離紙を剥離することになるため、その剥離紙によるごみが生じてしまうという問題点がある。
【０００７】
また、返信時に、返信者が封筒に表示された往信用の宛先情報を何らかの手段で消去するとともに、返信時の宛先情報を封筒に記入する必要があり、そのための手間がかかってしまうという問題点がある。また、この手間を回避するために、返信時の宛先情報が表示されたラベルを封筒に封入しておき、返信者が、このラベルを往信用の宛先情報が表示された領域に貼着することも考えられるが、その場合においても、そのラベルには剥離紙が貼着されていることとなるため、ラベル貼着時に剥離紙によるごみが生じてしまうという問題点がある。
【０００８】
本発明は、上述したような従来の技術が有する問題点に鑑みてなされたものであって、往信用のみならず返信用にも使用するといったように複数回使用することができる封筒において、二度目に使用する際に手間をかけることなく、かつ、ごみを生じさせずに使用することができる封筒を提供することを目的とする。
【課題を解決するための手段】
【０００９】
上記目的を達成するために本発明は、
第１片と第２片とによって開口部を具備する袋形状となる封筒本体と、前記第１片の前記開口部側の辺部に折り部を介して連接した封用蓋片とを有し、前記封筒本体または前記封用蓋片に第１の宛先情報表示部が設けられてなる封筒において、
前記封用蓋片は、
前記第１片に連接し、前記折り部にて折り畳まれた場合に前記第２片に対向する面に第１の貼着構造を具備する第１のシート部と、
前記第１のシート部に切り離し可能に連接し、前記第１の貼着構造と同一平面上に第２の貼着構造を具備する第２のシート部と、
一方の面に第３の貼着構造を具備し、他方の面に第２の宛先情報表示部が設けられ、前記第１の貼着構造と前記第３の貼着構造とによって前記第１のシート部に剥離可能に貼着された宛名ラベル部とを有し、
前記第１の宛先情報表示部が、前記第１のシート部から剥離された前記宛名ラベル部が前記第３の貼着構造によって貼着される宛名ラベル貼着予定部となっていることを特徴とする。
【００１０】
上記のように構成された本発明においては、一度目の使用時には、封用蓋片の第１のシート部に宛名ラベル部が貼着された状態で、封用蓋片が折り部にて折り畳まれて第２のシート部の第２の貼着構造によって封筒本体の第２片に貼着されて封緘され、封筒本体または封用蓋片に設けられた第１の宛先情報表示部に表示された第１の宛先情報に従って封筒が送付先に届けられる。封筒が送付先に届けられた後、封用蓋片の第１のシート部と第２のシート部とが切り離される。封用蓋片は第２のシート部の第２の貼着構造によって封筒本体の第２片に貼着されているため、第１のシート部と第２のシート部とが切り離されると、封用蓋片の第１のシート部が第２片から離反し、封筒が開封される。この封筒を用いて返信する等、この封筒を再度使用する場合は、第２の宛先情報表示部が設けられ、第１のシート部に剥離可能に貼着された宛名ラベル部が第１のシート部から剥離され、この宛名ラベル部が封筒本体または封用蓋片の宛名ラベル貼着予定部に貼着される。この宛先ラベル貼着予定部は、第１の宛先情報表示部であるため、宛先ラベル貼着予定部に貼着された宛名ラベル部によって、一度目の送付先を示す第１の宛先情報が見えなくなる。また、宛名ラベル部が第１のシート部から剥離されると、宛名ラベル部を貼着していた第１の貼着構造が表出するので、第１のシート部が折り部にて折り畳まれ、第１の貼着構造によって封筒本体の第２片に貼着されて封緘される。
【００１１】
また、前記第１の貼着構造と前記第３の貼着構造とは、前記宛名ラベル部が前記第１のシート部に貼着された状態において粘着剤と剥離剤とが互い違いとなるように交互に配列されている構成とすることが考えられる。
【発明の効果】
【００１２】
以上説明したように本発明においては、第１片と第２片とによって開口部を具備する袋形状となる封筒本体と、第１片の開口部側の辺部に折り部を介して連接した封用蓋片とを有し、封筒本体または封用蓋片に第１の宛先情報表示部が設けられてなる封筒において、封用蓋片が、第１片に連接し、折り部にて折り畳まれた場合に第２片に対向する面に第１の貼着構造を具備する第１のシート部と、第１のシート部に切り離し可能に連接し、第１の貼着構造と同一平面上に第２の貼着構造を具備する第２のシート部と、一方の面に第３の貼着構造を具備し、他方の面に第２の宛先情報表示部が設けられ、第１の貼着構造と第３の貼着構造とによって第１のシート部に剥離可能に貼着された宛名ラベル部とを有し、第１の宛先情報表示部が、第１のシート部から剥離された宛名ラベル部が第３の貼着構造によって貼着される宛名ラベル貼着予定部となっている構成としたため、二度目の使用時には、封用蓋片の第１のシートから宛名ラベル部を剥離し、封筒本体または封用蓋片の宛名ラベル貼着予定部となる第１の宛先情報表示部に貼着するとともに、第１のシート部の宛名ラベル部を貼着していた第１の貼着構造によって封筒を封緘することとなり、手間をかけることなく、かつ、ごみを生じさせずに使用することができる。
【００１３】
また、第１の貼着構造と第３の貼着構造とが、宛名ラベル部が第１のシート部に貼着された状態において粘着剤と剥離剤とが互い違いとなるように交互に配列されているものにおいては、第１のシート部と宛名ラベル部とを剥離可能に貼着するとともに、第１のシート部から剥離した宛名ラベル部を封筒本体または封用蓋片の宛名ラベル貼着予定部に、また、宛名ラベル部が剥離した第１のシート部を封筒本体の第２片にそれぞれ貼着可能とする構造を、特別な粘着剤を用いることなく構成することができる。
【図面の簡単な説明】
【００１４】
【図１】本発明の封筒の第１の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部及び剥離紙を剥離した状態を示す図、（ｅ）は（ａ）に示した宛名ラベル部の貼着面を示す図、（ｆ）は封用蓋片を閉じていない状態における他方の面を示す図である。
【図２】図１に示した往復封筒の使用方法を説明するための図である。
【図３】本発明の封筒の第２の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部及び剥離紙を剥離した状態を示す図、（ｅ）は（ａ）に示した宛名ラベル部の貼着面を示す図、（ｆ）は封用蓋片を閉じていない状態における他方の面を示す図である。
【図４】図３に示した往復封筒の使用方法を説明するための図である。
【発明を実施するための形態】
【００１５】
以下に、本発明の実施の形態について図面を参照して説明する。
【００１６】
（第１の実施の形態）
図１は、本発明の封筒の第１の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部２３及び剥離紙２４を剥離した状態を示す図、（ｅ）は（ａ）に示した宛名ラベル部２３の貼着面を示す図、（ｆ）は封用蓋片を閉じていない状態における他方の面を示す図である。
【００１７】
本形態は図１に示すように、紙やフィルム材料からなり、折り部１３ａを介して一辺どうしにて互いに連接した第１片である前面片１１と第２片である後面片１２とからなる封筒本体１０と、紙やフィルム材料からなり、前面片１１の折り部１３ａとは反対側の辺に設けられた折り部１３ｂを介して前面片１１と連接した封用蓋片であるフラップ部２０とから構成された往復封筒１であり、封筒本体１０が、前面片１１と後面片１２とが互いに対向するように折り部１３ａにて折り畳まれて折り部１３ａに隣接する２辺が互いに接着されることにより、折り部１３ａとは反対側の辺が、封入物が封入される開口部となる袋形状が形成されている。
【００１８】
フラップ部２０は、折り部１３ｂを介して前面片１１に連接した第１のシート部である返信用フラップ部２１と、返信用フラップ部２１の折り部１３ｂとは反対側にて連接した第２のシート部である往信用フラップ部２２と、返信用フラップ部２２の一方の面に剥離可能に貼着された宛名ラベル部２３とから構成されており、返信用フラップ部２１と往信用フラップ部２２とは、返信用フラップ部２１と往信用フラップ部２２との境界に貼着されたティアテープ３０によって切り離し可能となっている。
【００１９】
返信用フラップ部２１は図１（ｄ）に示すように、フラップ部２０が折り部１３ｂにて折り畳まれた場合に後面片１２に対向する面に、粘着剤２６ａと剥離剤２７ａとが縞状に交互に配列して塗布された第１の貼着構造２８ａを有している。
【００２０】
往信用フラップ部２２は図１（ｄ）に示すように、フラップ部２０が折り部１３ｂにて折り畳まれた場合に後面片１２に対向する面、すなわち、返信用フラップ部２１の粘着剤２６ａと剥離剤２７ａとからなる貼着構造２８ａと同一面上に、粘着剤２９ａが塗布されてなる第２の貼着構造を有しており、この粘着剤２９ａが塗布された面に、一方の面に剥離剤２９ｂが塗布されてなる剥離紙２４が剥離可能に貼着されている。
【００２１】
宛名ラベル部２３は、一方の面に、この往復封筒１の返信先の住所や氏名等からなる第２の宛先情報である返信用宛先情報２５が表示された第２の宛先情報表示部が設けられているとともに、他方の面に、図１（ｅ）に示すように、粘着剤２６ｂと剥離剤２７ｂとが縞状に交互に配列して塗布された第３の貼着構造２８ｂを有している。このように構成された宛名ラベル部２３は、返信用フラップ部２１の粘着剤２６ａと剥離剤２７ａとからなる貼着構造２８ａが設けられた面に、粘着剤２６ｂと剥離剤２７ｂとからなる貼着構造２８ｂが設けられた面が対向するように重ね合わされ、返信用フラップ部２１の粘着剤２６ａと剥離剤２７ａとからなる貼着構造２８ａと粘着剤２６ｂと剥離剤２７ｂとからなる貼着構造２８ｂとによって貼着されている。この際、返信用フラップ部２１の粘着剤２６ａと剥離剤２７ａとからなる貼着構造２８ａと、宛名ラベル部２３の粘着剤２６ｂと剥離剤２７ｂとからなる貼着構造２８ｂとは、図１（ｃ）に示すように、貼着状態においては、粘着剤２６ａ，２６ｂと剥離剤２７ａ，２７ｂとが互い違いとなるように配置されており、それにより、返信用フラップ２１と宛名ラベル部２３とは、貼着後の剥離が可能であり、かつ、剥離後においては、返信用フラップ２１と宛名ラベル部２３がそれぞれ再貼着が可能なものとなっている。
【００２２】
また、後面片１２には、この往復封筒１の往信先の住所や氏名等からなる第１の宛先情報である往信用宛先情報１５が表示された第１の宛先情報表示部が設けられており、その第１の宛先情報表示部が、この往復封筒１の返信時に、返信用フラップ部２１から剥離された宛名ラベル部２３が貼着される宛名ラベル貼着予定部１４となっている。
【００２３】
以下に、上記のように構成された往復封筒１の使用方法について説明する。
【００２４】
図２は、図１に示した往復封筒１の使用方法を説明するための図である。
【００２５】
図１に示した往復封筒１を使用する場合は、まず、図２（ａ）に示すように前面片１１及び後面片１２からなる封筒本体１０に、その開口部から封入物となる印刷物４０を封入し、図２（ｂ）に示すように往信用フラップ部２２から剥離紙２４を剥離する。
【００２６】
往信用フラップ部２２から剥離紙２４を剥離すると、図２（ｃ）に示すように、往信用フラップ部２２の一方の面にて粘着剤２９ａが表出する。そして、図２（ｄ）に示すようにフラップ部２０を折り部１３ｂにて折り畳み、往信用フラップ部２２に塗布された粘着剤２９ａによって往信用フラップ部２２を後面片１２に貼着し、往復封筒１を封緘する。
【００２７】
このように封緘された往復封筒１は、後面片１２に表示された往信用宛先情報１５に従って、往信先に届けられる。
【００２８】
往復封筒１が往信先に届けられた後、図２（ｅ）に示すように、ティアテープ３０を持ち上げることによって返信用フラップ部２１と往信用フラップ部２２とを切り離す。すると、往信用フラップ部２２は粘着剤２９ａによって後面片１２に貼着されているものの、返信用フラップ部２１は、後面片１２に対向する面に宛名ラベル部２３が貼着されていることにより後面片１２に貼着されていないため、図２（ｆ）に示すように、返信用フラップ部２１を開いて往復封筒１を開封することができる。
【００２９】
このようにして開封した往復封筒１から図２（ｇ）に示すように印刷物４０を取り出した後、この往復封筒１を返信する場合は、まず、図２（ｈ）に示すように、返信用フラップ部２１から宛名ラベル部２３を剥離する。ここで、返信用フラップ部２１と宛名ラベル部２３とは、返信用フラップ部２１と宛名ラベル部２３とにそれぞれ塗布された粘着剤２６ａ，２６ｂによって互いに貼着されているが、返信用フラップ部２１と宛名ラベル部２３とにはそれぞれ剥離剤２７ａ，２７ｂが塗布されており、これら粘着剤２６ａ，２６ｂと剥離剤２７ａ，２７ｂとが、上述したように、貼着状態においては互い違いとなるように配置されていることから、互いに貼着された返信用フラップ部２１と宛名ラベル部２３とを剥離することができる。
【００３０】
すると、図２（ｉ）に示すように、返信用フラップ部２１の一方の面にて粘着剤２６ａ及び剥離剤２７ａからなる貼着構造２８ａが表出する。そして、図２（ｊ）に示すようにフラップ部２０を折り部１３ｂにて折り畳み、返信用フラップ部２１の貼着構造２８ａを構成する粘着剤２６ａによって返信用フラップ部２１を後面片１２に貼着することにより往復封筒１を封緘する。またこの際、返信用フラップ部２１から剥離した宛名ラベル部２３を、後面片１２の往信用宛先情報１５が表示された宛名ラベル貼着予定部１４に、宛名ラベル部２３の貼着構造２８ｂを構成する粘着剤２６ｂによって貼着し、それにより、後面片１２に表示された往信用宛先情報１５を見えなくする。
【００３１】
このように封緘された往復封筒１は、後面片１２に貼着された宛名ラベル部２３に表示された返信用宛先情報２５に従って、返信先に届けられる。
【００３２】
上述したように本形態においては、返信時には、返信用フラップ部２１から宛名ラベル部２３を剥離し、後面片１２の往信用宛先情報１５が表示された宛名ラベル貼着予定部１４に貼着するとともに、返信用フラップ部２１の宛名ラベル部２３を貼着していた貼着構造２８ａを構成する粘着剤２６ａによって往復封筒１を封緘することとなり、返信者の手間をかけることなく、かつ、ごみを生じさせずに返信することができる。
【００３３】
（第２の実施の形態）
図３は、本発明の封筒の第２の実施の形態を示す図であり、（ａ）は封用蓋片を閉じていない状態における一方の面を示す図、（ｂ）は（ａ）に示したＡ−Ａ’断面図、（ｃ）は（ａ）に示したＢ−Ｂ’断面図、（ｄ）は（ａ）に示した宛名ラベル部１２３及び剥離紙１２４を剥離した状態を示す図、（ｅ）は（ａ）に示した宛名ラベル部１２３の貼着面を示す図、（ｆ）は封用蓋片を閉じていない状態における他方の面を示す図である。
【００３４】
本形態は図３に示すように、第１の実施の形態に示したものに対して、後面片１１２と宛名ラベル部１２３と剥離紙１２４とが１枚のシートで構成され、ジッパー部１３１及びミシン目１３２を介して切り離し可能に連接している点のみが異なるものである。
【００３５】
上記のように構成された往復封筒１０１においては、後面片１１２と宛名ラベル部１２３と剥離紙１２４とが１枚のシートで構成されているため、往信用宛先情報１１５と返信用宛先情報１２５とを１工程にて印刷することができる。
【００３６】
以下に、上記のように構成された往復封筒１０１の使用方法について説明する。
【００３７】
図４は、図３に示した往復封筒１０１の使用方法を説明するための図である。
【００３８】
図３に示した往復封筒１０１を使用する場合は、まず、図４（ａ）に示すように、ジッパー部１３１を破断することにより後面片１１２と宛名ラベル部１２３とを切り離し、後面片１１２と宛名ラベル部１２３との間に、この往復封筒１０１に封入物を封入するための封入口を作製する。
【００３９】
そして、図４（ｂ）に示すように、前面片１１１及び後面片１１２からなる封筒本体１１０に、その封入口から封入物となる印刷物１４０を封入するとともに、往信用フラップ部１２２から剥離紙１２４を剥離する。
【００４０】
往信用フラップ部１２２から剥離紙１２４を剥離すると、図４（ｃ）に示すように、往信用フラップ部１２２の一方の面にて粘着剤１２９ａが表出する。そして、図４（ｄ）に示すようにフラップ部１２０を折り部１１３ｂにて折り畳み、往信用フラップ部１２２に塗布された粘着剤１２９ａによって往信用フラップ部１２２を後面片１１２に貼着し、往復封筒１０１を封緘する。
【００４１】
このように封緘された往復封筒１０１は、後面片１１２に表示された往信用宛先情報１１５に従って、往信先に届けられる。
【００４２】
往復封筒１０１が往信先に届けられた後、図４（ｅ）に示すように、ティアテープ１３０を持ち上げることによって返信用フラップ部１２１と往信用フラップ部１２２とを切り離す。すると、往信用フラップ部１２２は粘着剤１２９ａによって後面片１１２に貼着されているものの、返信用フラップ部１２１は、後面片１１２に対向する面に宛名ラベル部１２３が貼着されていることにより後面片１１２に貼着されていないため、図４（ｆ）に示すように、返信用フラップ部１２１を開いて往復封筒１０１を開封することができる。
【００４３】
このようにして開封した往復封筒１０１から図４（ｇ）に示すように印刷物１４０を取り出した後、この往復封筒１０１を返信する場合は、まず、図４（ｈ）に示すように、返信用フラップ部１２１から宛名ラベル部１２３を剥離する。ここで、返信用フラップ部１２１と宛名ラベル部１２３とは、返信用フラップ部１２１と宛名ラベル部１２３とにそれぞれ塗布された粘着剤１２６ａ，１２６ｂによって互いに貼着されているが、返信用フラップ部１２１と宛名ラベル部１２３とにはそれぞれ剥離剤１２７ａ，１２７ｂが塗布されており、これら粘着剤１２６ａ，１２６ｂと剥離剤１２７ａ，１２７ｂとが、上述したように、貼着状態においては互い違いとなるように配置されていることから、互いに貼着された返信用フラップ部１２１と宛名ラベル部１２３とを剥離することができる。
【００４４】
すると、図４（ｉ）に示すように、返信用フラップ部１２１の一方の面にて粘着剤１２６ａ及び剥離剤１２７ａからなる貼着構造１２８ａが表出する。そして、図４（ｊ）に示すようにフラップ部１２０を折り部１１３ｂにて折り畳み、返信用フラップ部１２１の貼着構造１２８ａを構成する粘着剤１２６ａによって返信用フラップ部１２１を後面片１１２に貼着することにより往復封筒１０１を封緘する。またこの際、返信用フラップ部１２１から剥離した宛名ラベル部１２３を、後面片１１２の往信用宛先情報１１５が表示された宛名ラベル貼着予定部１１４に、宛名ラベル部１２３の貼着構造１２８ｂを構成する粘着剤１２６ｂによって貼着し、それにより、後面片１１２に表示された往信用宛先情報１１５を見えなくする。
【００４５】
このように封緘された往復封筒１０１は、後面片１１２に貼着された宛名ラベル部１２３に表示された返信用宛先情報１２５に従って、返信先に届けられる。
【００４６】
上述したように本形態においては、返信時には、返信用フラップ部１２１から宛名ラベル部１２３を剥離し、後面片１１２の往信用宛先情報１１５が表示された宛名ラベル貼着予定部１１４に貼着するとともに、返信用フラップ部１２１の宛名ラベル部１２３を貼着していた貼着構造１２８ａを構成する粘着剤１２６ａによって往復封筒１０１を封緘することとなり、返信者の手間をかけることなく、かつ、ごみを生じさせずに返信することができる。
【００４７】
なお、本形態においては、後面片１１２と宛名ラベル部１２３とがジッパー部１３１を介して切り離し可能に連接し、また、宛名ラベル部１２３と剥離紙１２４とがミシン目１３２を介して切り離し可能に連接しているが、後面片１１２と宛名ラベル部１２３とがミシン目を介して切り離し可能に連接し、また、宛名ラベル部１２３と剥離紙１２４とがジッパー部を介して切り離し可能に連接した構成とすることも考えられる。さらには、これら後面片１１２と宛名ラベル部１２３と剥離紙１２４とがティアテープを介して切り離し可能に連接した構成としてもよい。
【００４８】
また、上述した２つの実施の形態においては、返信用フラップ部２１，１２１と往信用フラップ部２２，１２２とがティアテープ３０，１３０によって切り離し可能となっているが、返信用フラップ部２１，１２１と往信用フラップ部２２，１２２とを切り離し可能とするものは、ミシン目やジッパー部であってもよい。
【００４９】
また、上述した２つの実施の形態においては、返信用フラップ部２１，１２１及び宛名ラベル部２３，１２３にそれぞれ設けられた貼着構造２８ａ，２８ｂ，１２８ａ，１２８ｂが、粘着剤２６ａ，２６ｂ，１２６ａ，１２６ｂと剥離剤２７ａ，２７ｂ，１２７ａ，１２７ｂとが縞状に交互に配列し、貼着状態においてはこれら粘着剤２６ａ，２６ｂ，１２６ａ，１２６ｂと剥離剤２７ａ，２７ｂ，１２７ａ，１２７ｂとが互い違いとなるように配置されたものを例に挙げて説明したが、返信用フラップ部２１，１２１及び宛名ラベル部２３，１２３にそれぞれ設けられた貼着構造２８ａ，２８ｂ，１２８ａ，１２８ｂは、返信用フラップ部２１，１２１と宛名ラベル部２３，１２３とを互いに剥離可能に貼着し、剥離後に、返信用フラップ部２１，１２１と宛名ラベル部２３，１２３がそれぞれ貼着可能となる構成であればよい。
【００５０】
また、上述した２つの実施の形態においては、往信用フラップ部２２，１２２に粘着剤２９ａ，１２９ａが塗布され、この粘着剤２９ａ，１２９ａが塗布された面に剥離紙２４，１２４が剥離可能に貼着されているが、往信用フラップ部２２，１２２の粘着剤２９ａ，１２９ａが塗布された面に、再湿糊を塗布しておく構成としてもよい。
【００５１】
また、上述した２つの実施の形態においては、往復封筒１，１０１の往信先の住所や氏名等からなる往信用宛先情報１５，１１５が後面片１２，１１２に表示され、後面片１２，１１２の往信用宛先情報１５，１１５が表示された領域が、往復封筒１，１０１の返信時に、返信用フラップ部２１，１２１から剥離された宛名ラベル部２３，１２３が貼着される宛名ラベル貼着予定部１４，１１４となっているが、往信用宛先情報１５，１１５を返信用フラップ部２１，１２１または往信用フラップ部２２，１２２に表示し、返信用フラップ部２１，１２１または往信用フラップ部２２，１２２の往信用宛先情報１５，１１５が表示された領域を、返信用フラップ部２１，１２１から剥離された宛名ラベル部２３，１２３が貼着される宛名ラベル貼着予定部とすることも考えられる。
【００５２】
また、上述した２つの実施の形態においては、宛名ラベル部２３，１２３に設けられた第２の宛先情報表示部に返信用宛先情報２５，１２５が表示されているが、返信用宛先情報２５，１２５は、往信時に宛名ラベル部２３，１２３に表示されておらず、返信時に往信先にて記入する構成とすることも考えられる。このような構成とすることにより、本発明の封筒を、上述した２つの実施の形態に示したような往信時のみならず返信時にも使用可能な往復封筒１，１０１に限らず、一度使用した後に宛名ラベル部２３，１２３に所望の宛先情報を記入し、リサイクル封筒として使用することができるようになる。すなわち、本発明は、上述した２つの実施の形態に示した往復封筒１，１０１に限らず、複数回使用可能なリサイクル封筒としても適用することができる。
【００５３】
また、上述した２つの実施の形態においては、前面片１１，１１１と後面片１２，１１２とが、互いに対向するように折り部１３ａ，１１３ａにて折り畳まれて折り部１３ａ，１１３ａに隣接する２辺が互いに接着された構成を例に挙げて説明したが、前面片１１，１１１と後面片１２，１１２とが、それぞれ単片状のものからなり、その３辺が互いに接着された構成であってもよい。
【符号の説明】
【００５４】
１，１０１    往復封筒
１０，１１０    封筒本体
１１，１１１    前面片
１２，１１２    後面片
１３ａ，１３ｂ，１１３ａ，１１３ｂ    折り部
１４，１１４    宛名ラベル貼着予定部
１５，１１５    往信用宛先情報
２０，１２０    フラップ部
２１，１２１    返信用フラップ部
２２，１２２    往信用フラップ部
２３，１２３    宛名ラベル部
２４，１２４    剥離紙
２５，１２５    返信用宛先情報
２６ａ，２６ｂ，２９ａ，１２６ａ，１２６ｂ，１２９ａ    粘着剤
２７ａ，２７ｂ，２９ｂ，１２７ａ，１２７ｂ，１２９ｂ    剥離剤
２８ａ，２８ｂ，１２８ａ，１２８ｂ    貼着構造
３０，１３０    ティアテープ
４０，１４０    印刷物
【図１】
2010168055.tif 000003
【図２】
2010168055.tif 000004
【図３】
2010168055.tif 000005
【図４】
2010168055.tif 000006